(57)【要約】      （修正有）【課題】帯枕と三重仮紐を使って手結びで帯を結ぶ際、着物装着者への負担を軽減するとともに、着付け師の手間を簡略し、容易に、且つ短時間で着付け作業を行うことができる帯枕を提供する。【解決手段】枕部１１と、該枕部１１に装着される紐状部１２を備える帯枕本体１０に、三重に形成された紐状の弾性部材２１と弾性部材２１の両端に連結された長尺状の保持紐２２とを備える三重仮紐２０を着脱自在に装着し、また前記紐状部１２に第一連結具１４を、前記三重仮紐２０の保持紐２２に、前記第一連結具１４に係止する第二連結部２３を装着した。なお、前記第一連結具１４および第二連結具２３は、押圧することで互いに係止状態となる面ファスナーからなる。【選択図】図１
0003182166.tif 000002
【実用新案登録請求の範囲】
【請求項１】
枕部と、該枕部に装着される紐状部を備える帯枕本体に、弾性部材と保持紐とを備える三重仮紐を着脱自在に装着したことを特徴とする帯枕。
【請求項２】
前記紐状部は、枕本体の外側面に装着される幅広部と、幅広部の両端に装着される第一連結具とで構成されている請求項１記載の帯枕。
【請求項３】
前記三重仮紐の保持紐に、帯枕本体の第一連結具に係合される第二連結部を装着した請求項１または２記載の帯枕。
【請求項４】
前記第一連結具および第二連結具は、押圧することで互いに係止状態となる面ファスナーである請求項２または３記載の帯枕。
【請求項５】
前記帯枕にレースを装着した請求項１乃至４のうちいずれか１項に記載の帯枕。
【考案の詳細な説明】
【技術分野】
【０００１】  本考案は、着物等の帯を結ぶ際、着物装着者への負担を軽減するとともに、着付け師の手間を簡略し、容易に、且つ短時間で着付け作業を行うことができる帯枕に関する。
【背景技術】
【０００２】  近年の着付け、特に七五三の着付けにおいては、作り帯よりも手結び帯が好まれている。手結びで帯を結ぶ際、七五三（特に７歳児）の着付けは、成人の着付けと同じように帯枕と三重仮紐を使って着付け作業を行う。【０００３】  また枕帯の従来技術として、暑苦しい感じがなく、かつ重苦しくなく、しかも、伝統的な帯枕としての機能を損なうことがない新規な帯枕がある（例えば特許文献１参照）。
上掲特許文献１の帯枕は、内部に空間を有し、内外を連通する開口を表面壁に有すると共に、膨らみをもった篭状物からなることを特徴としている。
【先行技術文献】
【特許文献】
【０００４】
【特許文献１】特開平１１−１０７０２２号公報
【考案の概要】
【考案が解決しようとする課題】
【０００５】  しかしながら、通常、帯枕と三重仮紐を使って手結びで帯を結ぶ際、帯枕と三重仮紐の２本の紐を胸の前で結ばなければならず、装着者に息苦さと違和感を与えた。また、着付け師においても、ぐずる子供たちの対応や煩わしい手間が生じるため、着付け作業に多くの時間や労力が必要になるという問題が生じた。【０００６】  また特許文献１の帯枕においては、夏に着付けたとしても暑苦しさがないという特徴を有するが、上述の課題が生じるとともに、帯枕の両端に装着されている紐が細状に形成されているため、装着時の安定性が低下するという問題があった。【０００７】  そこで本考案は上記の点に鑑み、帯枕と三重仮紐を使って手結びで帯を結ぶ際、着物装着者への負担を軽減するとともに、着付け師の手間を簡略し、容易に、且つ短時間で着付け作業を行うことができる帯枕を提供することにある。
【解決を解決するための手段】
【０００８】  上記課題を解決するために本考案の帯枕は、枕部と、該枕部に装着される紐状部を備える帯枕本体に、弾性部材と保持紐とを備える三重仮紐を着脱自在に装着したことを特徴とする。
【０００９】  また前記紐状部は、枕本体の外側面に装着される幅広部と、幅広部の両端に装着される第一連結具とで構成されている。
【００１０】  また前記三重仮紐の保持紐に、帯枕本体の第一連結具に係合される第二連結部を装着した。
【００１１】  また前記第一連結具および第二連結具は、押圧することで互いに係止状態となる面ファスナーである。
【００１２】  さらに、前記帯枕にレースを装着してもよい。
【考案の効果】
【００１３】  本考案の帯枕は、帯枕本体に三重仮紐を着脱自在に装着したことにより、帯枕と三重仮紐の２本の紐を胸の前で結ぶ必要がなく、装着者に息苦さや違和感を与えることがない。また着付け師にとっても、容易に、且つ短時間に着付け作業を行うことができる。
【００１４】  また、帯枕本体の紐状部が幅広状に形成されているため、着付けの際、帯枕の安定性が向上する。
【００１５】  また連結部に面ファスナーを用いることで、帯枕本体と三重仮紐との着脱が容易になるとともに、装着時に緩みが生じることなく、着付けを綺麗に仕上げることができる。
【図面の簡単な説明】
【００１６】
【図１】本考案における帯枕の分解斜視図である。
【図２】前記帯枕の斜視図である。
【図３】（ａ），（ｂ）は本考案の帯枕の使用状態を示す。
【考案を実施するための形態】
【００１７】  以下、本考案の帯枕における実施の形態を図面に基づいて説明する。
本考案の帯枕は、帯枕と三重仮紐を使って手結びで帯を結ぶ際、着物装着者への負担を軽減するとともに、着付け師の手間を簡略し、容易に、且つ短時間で着付け作業を行うことができることを特徴とするものである。
【００１８】  図１に示す帯枕１は、枕部１１と、該枕部１１に装着される紐状部１２を備える帯枕本体１０と、弾性部材２１と保持紐２２とを備える三重仮紐２０からなり、前記帯枕本体１０に三重仮紐２０が着脱自在に装着されている。
【００１９】  帯枕本体１０は、帯をお太鼓結びなどにするとき、帯の形を整えるとともに、帯が下がったりずれたりするのを防ぐもので、断面半円状の枕部１１と、該枕部１１に装着される紐状部１２とからなる。
【００２０】  前記紐状部１２はガーゼ等の布材にて形成されており、枕部１１の外側（湾曲側）に装着される幅広部１３と、幅広部１３の両端に装着される第一連結具１４とで構成されている。また前記幅広部１３の両側部は、テーパ状にやや幅が狭く形成されている。
【００２１】  前記紐状部１２を幅広状に形成することで、従来のようにガーゼを使用しなくとも、枕部１１が裏返ったりずれたりすることがない。また着付けの際、結んだ帯をしっかり抑えることができて安定性が向上する。
【００２２】  第一連結具１４は、前記紐状部１２の両端に装着されている。前記第一連結具１４は、後述詳細の三重仮紐２０の第二連結部２３に係止されるもので、特に、内側（枕部１１側）に係合要素を有する面ファスナーからなる。
【００２３】  三重仮紐２０は、振袖など、帯を変わり結びにするときに使うもので、三重に形成された紐状の弾性部材２１と、弾性部材２１の両端に連結された、長尺状の保持紐２２とからなる。
【００２４】  また、前記保持紐２２の外側部分には第二連結部２３が設置されている。前記第二連結部２３は、前記枕部１１の第一連結具１４に係止される係合要素を有する面ファスナーからなる。
【００２５】  なお、前記第一連結具１４及び第二連結部２３は、互いに係止される係合要素であれば特に限定されるものではなく、一方の連結具がフック状の係合要素であれば、他方の連結具がループ状の係合要素であればよい。
【００２６】  また他の好適例として、帯枕１の一部にレース１５を装着してもよい。レース１５は、帯枕本体１０、紐状部１２、第一連結具１４等、さまざまな箇所に装着することができる。前記レース１５を装着することで、外観的な見栄えを向上させることができる。
【００２７】  図２においては、枕部１１の第一連結具１４と、三重仮紐２０の第二連結部２３を係止させた状態を示すもので、図１に示す帯枕１を反対方向から視た状態の斜視図である。
【００２８】  次に、本考案の帯枕の使用方法を図３の（ａ）及び（ｂ）に基いて説明する。
（ａ）は帯枕１の使用状態の側面図であり、帯枕１を帯２の上線にあわせ、枕部１１及び三重仮紐２０が背中側に配置されるように装着し、胸の前で保持紐２２を結び、通常ように着付け作業を行う。
この際、枕部１１の外側には幅広部１３が配置されているので、枕部１１が裏返ったりずれたりすることがなく、結んだ帯をしっかり抑えることができる。
【００２９】  （ｂ）は、帯枕１の使用状態の正面図を示す。図示するように、帯枕１は帯枕本体１０及び三重仮紐２０が一体化されているため、胸前側で三重仮紐２０の保持紐２２のみを結ぶことで帯枕本体１０と三重仮紐２０を装着することができる。そのことにより、帯枕本体１０と三重仮紐２０を使って手結びで帯を結ぶ際、着物装着者への負担を軽減するとともに、着付け師の手間を簡略し、容易に、且つ短時間で着付け作業を行うことができる。
【符号の説明】
【００３０】１    帯枕
２    帯
１０  帯枕本体
１１  枕部
１２  紐状部
１３  幅広部
１４  第一連結具
１５  レース
２０  三重仮紐
２１  弾性部材
２２  保持紐
２３  第二連結具
【図１】
0003182166.tif 000003
【図２】
0003182166.tif 000004
【図３】
0003182166.tif 000005
【手続補正書】
【提出日】平成24年12月12日(2012.12.12)
【手続補正１】
【補正対象書類名】実用新案登録請求の範囲
【補正対象項目名】請求項１
【補正方法】変更
【補正の内容】
【請求項１】
枕部と、該枕部に装着される紐状部を備える帯枕本体に、三重に形成された紐状の弾性部材と弾性部材の両端に連結された長尺状の保持紐とを備える三重仮紐を着脱自在に装着したことを特徴とする帯枕。
【手続補正２】
【補正対象書類名】明細書
【補正対象項目名】０００８
【補正方法】変更
【補正の内容】
【０００８】  上記課題を解決するために本考案の帯枕は、枕部と、該枕部に装着される紐状部を備える帯枕本体に、三重に形成された紐状の弾性部材と弾性部材の両端に連結された長尺状の保持紐とを備える三重仮紐を着脱自在に装着したことを特徴とする。